(57)【要約】【課題】エアクリーナの大小や構造の如何に関わりなく、そこに付着した塵埃等を水により迅速かつ簡単に除去出来るようにすること。【解決手段】エアクリーナｗの大きさや強度に応じて回転数を低速から高速へと段階的に回転させつつ、型崩れ等を起こさせることなく水によって除去した表面の粉塵を水とともに効率よく排除できるようにしたもの。【選択図】図１
2005144309.tif 000002
【特許請求の範囲】
【請求項１】
エアクリーナに付着した粉塵を水により除去するようにしたエアクリーナのクリーニング方法において、フィルタ面を垂直に保持してフィルタを回転させて前記フィルタの内面上部に水を吹き付ける工程と、前記エアクリーナを低速から高速へと順に増速させつつ回転させて除水する工程とを備えたことを特徴とするエアクリーナのクリーニング方法。
【請求項２】
ターンテーブルと、エアクリーナの周面に除塵用の水を吹き付ける形式のエアクリーナのクリーニング装置において、前記エアクリーナをそのフィルタ面を垂直とし、かつ回転可能に軸方向に挟持するフィルタのフィルタ保持手段と、該フィルタ保持手段を低速から高速へと順に増速させて回転させる駆動手段と、エアクリーナの内周面上部に水を供給する放水手段とを備えたことを特徴とするエアクリーナのクリーニング装置。
【請求項３】
前記ターンテーブルの回転数を、前記エアクリーナに含浸されている水分の減少量に応じて増速させることを特徴とする請求項２記載のエアクリーナのクリーニング装置。
【発明の詳細な説明】
【技術分野】
【０００１】
本発明は、車両用エアクリーナのクリーニング方法とその装置に関する。
【背景技術】
【０００２】
高圧で大風量のエアをエアクリーナの内面に吹きつけつつ、散水して付着した粉塵を除去するようにしたエアクリーナのクリーニング装置については、既に本出願人が特許文献1に提示している。
この装置は、大型のエアクリーナに付着した粉塵を効率よく除去することができる点で優れているが、クリーナの内部に浸透した水分を除去するのが困難であるという不都合がある。
【特許文献１】特公昭７―１１４９０８号公報
【発明の開示】
【発明が解決しようとする課題】
【０００３】
本発明はこのような問題に鑑みてなされたもので、その目的とするところは、水、または温水を用いて粉塵を除去するとともに内部に残った水分を効率よく排除することのできる効率の良い新たなクリーニング方法と装置を提供することにある。
【課題を解決するための手段】
【０００４】
このような課題を達成するために本発明の請求項１の発明は、エアクリーナに付着した粉塵を水により除去するようにしたエアクリーナのクリーニング方法において、フィルタ面を垂直に保持してフィルタを回転させて前記フィルタの内面上部に水を吹き付ける工程と、前記エアクリーナを低速から高速へと順に増速させつつ回転させて除水する工程とを備える。
また請求項２の発明は、ターンテーブルと、エアクリーナの周面に除塵用の水を吹き付ける形式のエアクリーナのクリーニング装置において、前記エアクリーナをそのフィルタ面を垂直とし、かつ回転可能に軸方向に挟持するフィルタのフィルタ保持手段と、該フィルタ保持手段を低速から高速へと順に増速させて回転させる駆動手段と、エアクリーナの内周面上部に水を供給する放水手段とを備える。
【発明の効果】
【０００５】
本発明によれば、水や温水を吹きつけて粉塵を除去する形式のエアークリーニング方法における脱水処理として、エアフィルタを位置決め固定した上、そこに含水する水の量に応じてこれを低速から高速へと切換えるようにしたので、型崩れを起することなく効率よく脱水処理することができるばかりでなく、フィルタに喰い込んだ粉塵を内側から外方に脱水時の圧力により移動させて、確実に排除できる。
【０００６】
しかも、水洗と遠心脱水とを同じ装置内に組み込んだことにより、エアクリーナの大小やその大きさの如何にかかわりなく安定的に保持して、この種の作業を同じクリーニング装置を用いて一貫して行うことができる。
【０００７】
また、フィルタの内周面に上部の吹き付け重力と遠心力を利用して内周面全体も拡散させるため、回転体内に上下移動機構を収容する必要がなく構造の簡素化を図ることができる。
【発明を実施するための最良の形態】
【０００８】
そこで以下に本発明の実施例について説明する。
図１は本発明の一実施例を示したもので、装置本体１は、内部に回転駆動体２と排出ホース３を備えた基台４と、その頂板４ａの上面に固定された円筒型のケーシング１０とによって構成されている。なお、ケーシング１０は、図示しない扉により開閉可能に構成されている。
【０００９】
基台４の頂板４ａには、上面に複数の径の異なる段差６ａ、６ｂを同心円状に設けたターンテーブル5が回転自在に取付けられていて、高速及び低速の切換えスイッチ７、８により切換え操作される駆動モータ９によって回転駆動されるように構成されている。
【００１０】
ケーシング１０の頂板１０ａにスライド自在に挿通された杆１１には、その下端に、ターンテーブル５に載置されたエアフィルタｗの上部の開口部を封じてこの部分を押圧する重量の大なる蓋体１２が回転自在に取りつけられている。これらターンテーブル５と蓋体１２とがフィルタ保持手段を構成している。
【００１１】
なお、図中符号１４はこの蓋体１２を上下動させるためのプリー２０に掛けられたワイヤー２１を移動させるハンドルを示しており、また符号１５、１６は、ガイド部材１７に案内させてエアフィルタｗの外部周面に水を吹きつけるノズルと、これを上下動させるためのハンドルを示している。さらに、図中符号１８、１９は、それぞれエアフィルタｗの内部に水、または温水を供給する管及び温風を送り込むための管を示している。なお、これら管１８、１９は、杆１１に対して同心状に配置されていて蓋体１２の回動に障害をきたさないように配置されており、水は管１９の先端に接続された放水手段をなすノズル１９ａから噴出する。
【００１２】
このように構成された実施例において、はじめに、所要の径を有する清掃すべきエアーフィルタｗをターンテーブル５の複数の段差６ａ、６ｂの一つに合わせて載置し、その上部に蓋体９を載置してフィルタ面ｗｆが垂直となるようにエアフィルタｗを固定する。スイッチ７をＯＮにしてフィルタを低速、例えば２０ｒｐｍで回転させてバランス等を確認した後、ノズル１５を上下動させて水、好ましくは温水を吹きつけながらフィルタｗの外表面に付着した粉塵を除去する。
次に、スイッチ８をＯＮにしてフィルターを高速、例えば４００ｒｐｍで回転させて、フィルタｗの内部に位置する放水手段をなす管１８から水、好ましくは温水を放出すると、水が重力で流下するとともに遠心力でフィルタｗの内面全体に拡散する。
【００１３】
段差６により位置決め保持されたエアクリーナは、ジグザグ状に折曲げて放射状に巻きつけられた弱いフィルタの主体部分をさほど大きく変形させることなく内部の水を遠心力により塵埃とともに放射方向に放出するから、粉塵も水に乗って外部に排出される。所定時間後に水の放出を止める。そして内部の水が少なくなって軽くなってきた段階で回転速度を徐々にあげ、かつ時間をかけて充分に脱水させる。この時、管１９により温風を供給して開口１８ａから放出すると、乾燥時間を短縮できる。
【００１４】
なお、寒冷地など気温が低い場合には、温風を合わせて吹き込むと、油分を軟化させて容易に粉塵をフィルターから脱離させて短時間で乾燥させることができる。
【００１５】
また一方、エアフィルタｗの径が小さいか、本体部分が十分に強固であるかして、この回転速度のもとでは型崩れが起きないと思われる場合には、切換スイッチ８によりエアークリーナｗの回転を高めて脱水に要する時間を短縮させる。
【００１６】
また、考えられる他の実施例としては、低速から高速への切換えを予め設定したプログラムによって自動的に行わすこともでき、これにより、人手と時間を大幅に軽減してこの種の作業を効率よく行わすこともできる。
【図面の簡単な説明】
【００１７】
【図１】本発明の一実施例を示す装置の断面図である。
【符号の説明】
【００１８】
２  基台    ５  ターンテーブル    ６  同心円状の段差    ９  蓋体    １０、１１  切換えスイッチ    １２  ノズル    １８  水を放出する管    １９  温風を放出する管
【図１】
2005144309.tif 000003